(57)【要約】【課題】ファクシミリの送受信に伴い、柔軟に動的なイメージファイルを生成する仕組みを提供すること。【解決手段】送受信したファクシミリの情報を管理するファクシミリ情報管理手段と、送受信したファクシミリデータをイメージファイルとして保存するイメージファイル生成手段と、を有し、前記イメージファイル生成手段は、前記ファクシミリ情報管理手段で管理されるファクシミリ情報が、所定の条件に一致する場合に、前記イメージファイルを生成することを特徴とする。【選択図】図１２
2018006925.tif 000002
【特許請求の範囲】
【請求項１】
ファクシミリの送受信が可能なファクシミリシステムであって、
送受信したファクシミリの情報を管理するファクシミリ情報管理手段と、
送受信したファクシミリデータをイメージファイルとして保存するイメージファイル生成手段と、を有し、
前記イメージファイル生成手段は、前記ファクシミリ情報管理手段で管理されるファクシミリ情報が、所定の条件に一致する場合に、前記イメージファイルを生成することを特徴とするファクシミリシステム。
【請求項２】
前記ファクシミリ情報管理手段は、ファクシミリの送受信のステータスを管理しており、
前記イメージファイル生成手段は、前記送受信したファクシミリのステータスが所定の条件として設定されたステータスの条件と一致する場合に、前記イメージファイルを生成することを特徴とする請求項１記載のファクシミリシステム。
【請求項３】
前記ファクシミリ情報管理手段は、ファクシミリの送信元または宛先を管理しており、
前記イメージファイル生成手段は、前記ファクシミリの送信元または宛先が所定の条件として設定された送信元または宛先と一致する場合に、前記イメージファイルを生成することを特徴とする請求項１または２記載のファクシミリシステム。
【請求項４】
前記ファクシミリ情報管理手段は、ファクシミリの送受信に関する時刻を管理しており、
前記イメージファイル生成手段は、前記ファクシミリの送受信に関する時刻が所定の条件として設定された送受信の日時と一致する場合に、前記イメージファイルを生成することを特徴とする請求項１乃至３のいずれか１項に記載のファクシミリシステム。
【請求項５】
前記イメージファイル生成手段によって作成されるイメージファイルを保存するフォルダ名を決定するフォルダ名決定手段を更に有し、
前記フォルダ名決定手段は、前記ファクシミリ情報管理手段で管理される情報および前記フォルダ名を決定する所定の条件に応じて、前記フォルダ名を決定する請求項１乃至４のいずれか１項に記載のファクシミリシステム。
【請求項６】
前記フォルダ名決定手段によって決定されたフォルダを生成するフォルダ生成手段を更に有し、
前記イメージファイル生成手段は、前記フォルダ生成手段によって決定されたフォルダに前記イメージファイルを生成することを特徴とする請求項５記載のファクシミリシステム。
【請求項７】
前記イメージファイル生成手段によって作成されるイメージファイルに付与するファイル名を決定するファイル名決定手段を更に有し、
前記ファイル名決定手段は、前記ファクシミリ情報管理手段で管理されるファクシミリの情報および前記ファイル名を決定する所定の条件に応じて、前記ファイル名を決定する請求項１乃至６のいずれか１項に記載のファクシミリシステム。
【請求項８】
前記フォルダ名決定手段によって決定されたフォルダを生成するフォルダ生成手段を更に有し、
前記イメージファイル生成手段は、前記ファイル名決定手段によって決定されたファイル名を利用してイメージファイルを生成することを特徴とする請求項７記載のファクシミリシステム。
【請求項９】
前記イメージファイル生成手段は、前記フォルダ生成手段で生成されたフォルダに、前記ファイル名決定手段で決定されたファイル名を利用してイメージファイルを生成することを特徴とする請求項６または８に記載のファクシミリシステム。
【請求項１０】
前記イメージファイル生成手段は、ファクシミリの送信時もしくはファクシミリの受信時に動作するよう設定可能な請求項１乃至９のいずれか１項に記載のファクシミリシステム。
【請求項１１】
ファクシミリの送受信が可能なファクシミリシステムの制御方法であって、
送受信したファクシミリの情報を管理するファクシミリ情報管理ステップと、
送受信したファクシミリデータをイメージファイルとして保存するイメージファイル生成ステップと、を有し、
前記イメージファイル生成ステップは、前記ファクシミリ情報管理ステップで管理されるファクシミリ情報が、所定の条件に一致する場合に、前記イメージファイルを生成することを特徴とするファクシミリシステムの制御方法。
【請求項１２】
ファクシミリの送受信が可能なファクシミリシステムで実行可能なプログラムであって、
前記ファクシミリシステムを、
送受信したファクシミリの情報を管理するファクシミリ情報管理手段と、
送受信したファクシミリデータをイメージファイルとして保存するイメージファイル生成手段と、を有し、
前記イメージファイル生成手段は、前記ファクシミリ情報管理手段で管理されるファクシミリ情報が、所定の条件に一致する場合に、前記イメージファイルを生成することを特徴とするファクシミリシステムとして動作させるためのプログラム。
【発明の詳細な説明】
【技術分野】
【０００１】
本発明は、ファクシミリシステム、制御方法、およびプログラムに関する。
【背景技術】
【０００２】
従来、ファクシミリサーバシステムにおいて、ＦＡＸ送信/受信したタイミングでＦＡＸのイメージファイルを特定のフォルダに出力することが行われている。このイメージファイルは、送信の開始や終了、受信成功や失敗など送受信のステータスが移行したタイミングごとに出力する/しないを設定できる。
【０００３】
例えば、特許文献１においては、受信したファクシミリに、画像情報や通信履歴情報を識別する情報を含ませて命名し、ファイルを出力する仕組みが提案されている。
【先行技術文献】
【特許文献】
【０００４】
【特許文献１】特開２００７−６００５１号公報
【発明の開示】
【発明が解決しようとする課題】
【０００５】
しかしながら、特許文献１における仕組みでは、ファイルを出力するタイミングは自由に設定できるようになっているが、そのタイミングでは、全てのファクシミリが対象となってしまい、例えば主力させたくないファクシミリがあったとしても出力されてしまうという問題があった。
【０００６】
また、出力先のフォルダやファイル名の決定はあらかじめ全体に設定されたルールが適応されるため、送受信内容によってイメージファイルを出力したりしなかったり、また、ＦＡＸ送信／受信に応じた柔軟なファイル名の決定ができないという問題があった。
【０００７】
そこで、本発明では、ファクシミリの送受信に伴い、柔軟に動的なイメージファイルを生成する仕組みを提供することを目的とする。
【課題を解決するための手段】
【０００８】
ファクシミリの送受信が可能なファクシミリシステムであって、送受信したファクシミリの情報を管理するファクシミリ情報管理手段と、送受信したファクシミリデータをイメージファイルとして保存するイメージファイル生成手段と、を有し、前記イメージファイル生成手段は、前記ファクシミリ情報管理手段で管理されるファクシミリ情報が、所定の条件に一致する場合に、前記イメージファイルを生成することを特徴とする。
【発明の効果】
【０００９】
本発明によれば、ファクシミリの送受信に伴い、柔軟に動的なイメージファイルを生成する仕組みを提供することが可能となる。
【図面の簡単な説明】
【００１０】
【図１】本発明の実施形態におけるファクシミリシステムの構成の一例である。
【図２】本発明の実施形態におけるファクシミリサーバのハードウェア構成図である。
【図３】本発明の実施形態におけるファクシミリシステムの機能構成図である。
【図４】本発明の実施形態におけるファクシミリシステムのファクシミリ用プリンタドライバ画面の一例を示す図である。
【図５】本発明の実施形態におけるファクシミリシステムのログオン画面の一例を示す図である。
【図６】本発明の実施形態におけるファクシミリシステムの送信画面の一例を示す図である。
【図７】本発明の実施形態におけるファクシミリシステムのＦＡＸアイテムテーブルの一例を示す図である。
【図８】本発明の実施形態におけるファクシミリシステムの電話帳テーブルの一例を示す図である。
【図９】本発明の実施形態におけるファクシミリシステムのイメージファイル生成機能の全体設定テーブルの一例を示す図である。
【図１０】本発明の実施形態におけるファクシミリシステムのイメージファイル生成にかかる条件テーブルの一例を示す図である。
【図１１】本発明の実施形態におけるファクシミリシステムのイメージファイル生成にかかるデフォルトテーブルの一例を示す図である。
【図１２】本発明の実施形態におけるファクシミリシステムのＦＡＸ受信時処理の一例を示すフローチャートである。
【図１３】本発明の実施形態におけるファクシミリシステムのＦＡＸ情報の登録処理の一例を示すフローチャートである。
【図１４】本発明の実施形態におけるファクシミリシステムのＦＡＸ送信時処理の一例を示すフローチャートである。
【図１５】本発明の実施形態におけるファクシミリシステムのイメージファイル生成処理の一例を示すフローチャートである。
【図１６】本発明の実施形態におけるファクシミリシステムの条件比較処理の一例を示すフローチャートである。
【図１７】本発明の実施形態におけるファクシミリシステムの条件文字比較処理の一例を示すフローチャートである。
【図１８】本発明の実施形態におけるファクシミリシステムのフォルダ名作成処理の一例を示すフローチャートである。
【図１９】本発明の実施形態におけるファクシミリシステムのファイル名作成処理の一例を示すフローチャートである。
【発明を実施するための形態】
【００１１】
以下、図面を参照して、本発明の実施形態を詳細に説明する。
【００１２】
図１は、本発明に係る情報処理装置を含むファクシミリシステム（情報処理システム）の一例を示すシステム構成図である。本発明の情報処理装置に好適なクライアント装置１０１およびクライアント装置１０２は、例えば、パーソナルコンピュータであり、ネットワーク通信機能を備え、ＬＡＮ１０５（ローカルエリアネットワーク）を介して送信サーバ１０３とデータ通信が可能である。
【００１３】
送信サーバ１０３は、公衆回線１０６を介してファクシミリ送信機能を備えるＦＡＸ通信カード１０４を備えている。本システムにおいては、ファクシミリの送受信を行うファクシミリサーバとして機能する。
【００１４】
本システムは、最も基本的な通信インフラの１つであるファクシミリ（以下、ＦＡＸとも呼ぶ）を、インターネット／イントラネットを含めたネットワークシステムに統合し、ＴＣＰ／ＩＰネットワーク対応のファクシミリシステムである。
【００１５】
具体的には、送信サーバ１０３は、米国マイクロソフト社のＷｉｎｄｏｗｓ（登録商標）  Ｓｅｒｖｅｒが稼働し、ＦＡＸ通信カード１０４を装着し、後述するファクシミリシステム用サーバモジュール（図３の３０３）をインストールすることで、ＰＣベースのＦＡＸ送受信ができる。送受信したＦＡＸイメージや送受信情報は、送信サーバ１０３の記憶部に電子化されて蓄積され、一元管理される。
【００１６】
そして、クライアント端末１０１（１０２）には、ファクシミリシステム用クライアントモジュールを起動させることで、送信サーバ１０３の記憶部に蓄積されている送受信データの確認や、管理者権限でログインすることで送信サーバ１０３側の各種設定ができる。
【００１７】
また、クライアント端末１０１（１０２）には、後述するファクシミリ用プリンタドライバをインストールすることで、米国マイクロソフト社のＷｉｎｄｏｗｓ（登録商標）やその他ＯＳ上の各種文書アプリケーションから印刷実行と同じオペレーションでＦＡＸ送信が可能となっている。
【００１８】
ＦＡＸ通信カード１０４は、アナログ公衆回線１０６だけでなく、ＩＮＳ６４回線、ＩＮＳ１５００回線のいずれかに接続することで、ＦＡＸデータの送受信が可能となっている。
【００１９】
送信データは、各クライアント端末からＴＣＰ／ＩＰネットワークであるＬＡＮ１０５を経由して送信サーバ１０３へ蓄積され、ＦＡＸ通信カード１０４を動作させることで、順次送信される。
図２は、クライアント端末１０１、１０２および送信サーバ１０３のハードウェア構成を示す図である。
【００２０】
図２に示すように、クライアント端末１０１、１０２および送信サーバ１０３では、システムバス２０４を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、入力コントローラ２０５、ビデオコントローラ２０６、メモリコントローラ２０７、通信Ｉ／Ｆコントローラ２０８が接続される。
ＣＰＵ２０１は、システムバス２０４に接続される各デバイスやコントローラを統括的に制御する。
【００２１】
ＲＯＭ２０３あるいは記憶装置である外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本データ先指定方法を実現するためのコンピュータ読み取り実行可能なプログラムおよび必要な各種データ（データテーブルを含む）を保持している。
【００２２】
ＲＡＭ２０２は、ＣＰＵ２０１の主メモリ、ワークエリア等として機能する。ＣＰＵ２０１は、処理の実行に際して必要なプログラム等をＲＯＭ２０３あるいは記憶装置である外部メモリ２１１からＲＡＭ２０２にロードし、ロードしたプログラムを実行することで各種動作を実現する。
【００２３】
入力コントローラ２０５は、キーボード２０９からの入力を制御する。ビデオコントローラ２０６は、表示部の一例であるＣＲＴ２１０への表示出力を制御する。メモリコントローラ２０７は、外部メモリ２１１に記憶されている情報を読み出しと、外部メモリ２１１への情報の書き込みを制御する。
【００２４】
通信Ｉ／Ｆコントローラ２０８は、通信回線と接続してデータの送受信の制御を行う。クライアント端末の場合、通信Ｉ／Ｆコントローラ２０８は、ＬＡＮ１０５を介するデータの送受信を制御し、一方、送信サーバ１０３の場合、通信Ｉ／Ｆコントローラ２０８は、同様にＬＡＮ１０５を介するデータの送受信の制御と、ＦＡＸ通信カード１０４として、公衆回線１０６を介するデータの送受信の制御も行うものとする。
【００２５】
なお、送信サーバ１０３の外部メモリ２１１には、後述する各種テーブルが格納されているものとする。なお、電話帳（図３の３１７）もこの外部メモリに記憶されている。
【００２６】
なお、外部メモリ２１１は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００２７】
図３は本発明の情報処理装置（クライアント端末１０１、１０２）およびサーバ装置（送信サーバ１０３）を含む送信システムが備える機能構成の一例を示す機能構成図である。
【００２８】
クライアント端末１０１、１０２は、ファクシミリ用プリンタドライバ３０１とファクシミリ用クライアントモジュール３０２を備えている。ファクシミリ用プリンタドライバ３０１は、送信データ生成部３０５、ログイン要求部３０６、送信画面表示部３０７、送信先選択部３０８、情報受信部３０９、およびデータ送信部３１０を機能構成として備えている。
【００２９】
また、ファクシミリ用クライアントモジュール３０２は、送信サーバ１０３の記憶部に蓄積されている送受信データの確認や、管理者権限でログインすることで送信サーバ１０３側の各種設定ができる。
【００３０】
送信データ生成部３０５は、例えば文書作成アプリケーションプログラムで作成された文書データの印刷指示を受け付け、ＯＳ（オペレーティングシステム）を介して文書データの描画情報（ＤＤＩ関数：Ｄｅｖｉｃｅ  Ｄｒｉｖｅｒ  Ｉｎｔｅｒｆａｃｅ）を受け取って、ＴＩＦＦ画像データを生成する。
【００３１】
ＴＩＦ画像データの生成処理は既知の技術であるため詳細な説明は省略する。また、本実施の形態では、生成される送信データのデータフォーマットとしてＴＩＦＦ画像データを用いているが、これに限られるものではなく、ＰＤＦ形式であっても、ビットマップ形式であってもよい。
【００３２】
なお、送信データ生成部３０５による送信データの生成処理は、ログイン要求部３０６によるログイン要求前に行われて、クライアント端末１０１、１０２内の外部メモリに送信データがスプールされることになる。このように、先にデータ生成とスプール処理を行っておくことにより、文書アプリケーションによる印刷処理プロセスを早期に解放することができ、ユーザは文書アプリケーションを使用して文書の編集処理を再開したり、ファイルを閉じたりすることができる。なお、ファクシミリ用プリンタドライバ３０１の出力先は、クライアント端末内の作業フォルダとなっており、外部出力ポートが指定されているわけではなく、作業フォルダ内に送信データファイルとして出力することになる。
【００３３】
ログイン要求部３０６は、印刷指示を受け付けた際にファクシミリ用プリンタドライバ３０１で呼び出される機能部であり、図５に示すログオンを行う際の認証要求画面５０１を表示し、この認証要求画面を介してユーザにより入力されたユーザＩＤ（ユーザ識別情報）とパスワードを含む認証情報を、指定した認証先のサーバ（本実施の形態では、送信サーバ１０３に相当する）に送信することでログイン要求を行う。ログオン要求は、ログオンボタン５０２を押下することで実行される。
【００３４】
送信画面表示部３０７は、ログイン認証された際にファクシミリ用プリンタドライバ３０１で呼び出される機能部であり、図６に示すような送信画面を介してファクシミリを送信することができる。
【００３５】
送信先選択部３０８は、送信画面表示部３０７により表示された選択画面を介してユーザにより入力・指定された送信先を決定する機能を備えている。
【００３６】
情報受信部３０９は、送信サーバ１０３と通信して、ログイン認証の認証結果とユーザ権限を受信したり、また、認証されたユーザが選択できる電話帳である送信先リストを受信したりする機能を備えている。
【００３７】
データ送信部３１０は、送信データ生成部３０５で生成された送信データを、送信先選択部３０８で決定された送信先にデータ送信すべく、送信サーバ１０３にデータ送信を行う。具体的には、作業フォルダにスプールされている送信データを、送信先選択部３０８で選択・決定された送信先の情報と共に、送信サーバ１０３のファクシミリシステム用サーバモジュールにアップロードして、データ送信登録が行われる。
【００３８】
なお、送信データ生成部３０５によるデータ生成処理をファクシミリ用プリンタドライバ３０１によるプロセスにし、ログイン要求部３０６、送信画面表示部３０７、送信先選択部３０８、情報受信部３０９、データ送信部３１０による各処理を、ファクシミリ用プリンタドライバ３０１から呼び出す別プロセス（別サービス）として実現してもよい。
次にファクシミリシステム用サーバモジュール３０３の機能構成について説明する。
【００３９】
ファクシミリシステム用サーバモジュール３０３は、イメージファイル生成部３１３、ＦＡＸアイテム登録部３１４、およびＦＡＸ送受信部３１５を有する。
【００４０】
また、各種テーブルとして、ユーザテーブル３１６、電話帳テーブル３１７、ＦＡＸアイテムテーブル３１８、およびイメージファイル生成テーブル３１９を有する。
【００４１】
イメージファイル生成部３１３は、受信／送信したＦＡＸアイテムの持つ情報を利用してイメージファイルを生成する。イメージファイルとは、受信したＦＡＸや送信したＦＡＸの画像ファイルのことで、例えば、ＰＤＦ形式やＴＩＦＦ形式などのファイルである。また、イメージファイルに所定のルールに基づいてファイル名を決定したり、イメージファイルを保存するフォルダ名を決定したりする処理も行う。
【００４２】
ＦＡＸアイテム登録部３１４は、受信／送信ＦＡＸの送信時や受信時に送信先や、ステータスなのでＦＡＸ情報をＦＡＸアイテムテーブル３１８に登録する。
【００４３】
ＦＡＸ送受信部３１５は、クライアントから要求されたＦＡＸ送信を行ったり、外部の送信先から送信されたＦＡＸを受信したりする制御を行う。実際の送受信は、ファクシミリ通信カード１０４のＦＡＸ通信部３２０によって行われ、当該通信部との連携を行う。
【００４４】
ユーザテーブル３１６は、本ファクシミリシステムを利用するユーザのログイン情報が記憶されている。（不図示）
【００４５】
電話帳テーブル３１７は、ユーザ名や会社名と電話番号を対応付けて記憶したものであり、具体例については、図８を利用して後述する。
【００４６】
ＦＡＸアイテムテーブル３１８は、本ファクシミリシステムで受信／送信されるＦＡＸ情報（ファクシミリ情報）が管理されたテーブルであり、ファクシミリ情報管理手段により管理される。具体例については、図７を利用して後述する。
【００４７】
イメージファイル生成テーブル３１９は、イメージファイル生成部３１３がイメージファイルを生成するために利用する設定が記憶されたテーブルであり、具体例については、図９〜図１１を利用して後述する。
【００４８】
また、本発明のファクシミリシステムにおける各機能は、上記に説明した構成に限らず、クライアント端末またはファクシミリサーバのどちらが備えても構わないものである。また、全ての機能をクライアント装置またはファクシミリサーバに備えることも可能である。
【００４９】
図４は、本発明の実施形態におけるファクシミリシステムのファクシミリ用プリンタドライバ画面の一例を示す図である。
【００５０】
ファクシミリを送信するユーザは、送信したいファイルを開いたアプリケーションで印刷命令を行い、プリンタドライバとしてファクシミリ用プリンタドライバ４０１を選択することでファクシミリ送信可能となる。
【００５１】
なお、ファクシミリ用プリンタドライバが選択された時点でファクシミリサーバにログオンしていない場合は、図５のファクシミリシステムのログオン画面が表示されログオンが要求される。
【００５２】
印刷範囲やページ処理を設定後、ＯＫボタン４０２を押下することで図６に示すファクシミリ送信画面が表示され、送信先の設定が行われる。
図６は、本発明の実施形態におけるファクシミリシステムの送信画面の一例を示す図である。
【００５３】
送信画面６０１では、使用回線や受信者情報として、ＦＡＸ番号、姓、名、および会社名などの入力が可能となっている。なお、ここで入力された内容が図７のＦＡＸアイテムテーブルに記憶され、イメージファイルを生成する条件やファイル名の一部として利用することができるようになっている。
【００５４】
図７は、本発明の実施形態におけるファクシミリシステムのＦＡＸアイテムテーブルの一例を示す図である。
【００５５】
ＦＡＸアイテムテーブル７００は、図３で説明したファクシミリサーバに記憶されたＦＡＸアイテムテーブル３１８と同一のものである。ファクシミリを送信したときや受信したときなどにレコードに情報が記憶されるようになっている。
【００５６】
記憶される項目は、メッセージＩＤ７０１、ステータス７０２、ＦＡＸ番号７０３、会社名７０４、送信元ナンバーディスプレイ７０５、送信完了日時７０６、受信完了日時７０７、姓７０８、名７０９、担当者７１０、および回線７１１が記憶されている。
【００５７】
なお、記憶される項目はこれに限ったものではなく、よりファクシミリシステムで扱える項目であればより多くの項目を記憶するようにしてもよいし、より少ない項目を記憶するようにすることも可能である。
メッセージＩＤ７０１は、ＦＡＸアイテムごとに割り当てられたユニークな識別番号である。
【００５８】
ステータス７０２は、ＦＡＸアイテムの現在の状況を示したもので、例えば、ＦＡＸ受信に成功したことを示す「受信成功」、ＦＡＸ受信に失敗したことを示す「受信失敗」、ＦＡＸ送信前の状態を示す「送信準備完了」、ＦＡＸが送信中であることを示す「送信中」、ＦＡＸ送信に成功したことを示す「送信成功」、およびＦＡＸ送信に失敗したことを示す「送信失敗」などがある。
【００５９】
ＦＡＸ番号７０３は、ＦＡＸの宛先であるＦＡＸ送信先が記憶される。会社名７０４には、送信元または送信先の会社名を示す。受信した場合には、送信元、送信した場合には、送信先の会社名となる。後述する、姓名も同様である。
【００６０】
送信元ナンバーディスプレイ７０５には、ＦＡＸ受信した際に取得したナンバーディスプレイ情報が記憶される。取得できなかった場合には、空白となる。
【００６１】
送信完了日時７０６は、ＦＡＸ送信が完了した日時が記憶され、受信完了日時７０７には、ＦＡＸ受信が完了した日時が記憶される。
姓７０８には、送信元または送信先の姓が、名７０９には、送信元または送信先の名が記憶される。
【００６２】
担当者７１０には、ＦＡＸアイテムの担当者が記憶される。回線７１１には、利用した回線名が記憶される。
【００６３】
なお、会社名７０４、姓７０８、名７０９、回線７１１の情報は、送信時であれば、送信画面６０１で設定された内容が記憶される。
図８は、本発明の実施形態におけるファクシミリシステムの電話帳テーブルの一例を示す図である。
【００６４】
姓８０１、名８０２、会社名８０３、および電話番号（ＦＡＸ番号）が記憶されている。本テーブルは事前にユーザによって事前に登録することが可能であり、図６の送信画面などで、登録された情報をキーとして、他の登録された内容を検索し表示することが可能である。
【００６５】
図９から図１１に示すテーブルは、本ファクシミリシステムがイメージファイルを生成するときの条件が設定されたテーブルであって、図３に示すイメージファイル生成テーブル３１９として記憶されるものである。
【００６６】
図９は、本発明の実施形態におけるファクシミリシステムのイメージファイル生成機能の全体設定テーブルの一例を示す図である。
全体設定テーブル９００は、イメージファイル生成機能の全体の設定を管理するテーブルである。
【００６７】
イメージファイル生成機能９０１、回線番号９０２、ステータス９０３、デフォルトテーブル利用９０４、および処理の条件９０５が設定されている。
【００６８】
設定は、全体設定テーブル設定ファイル９０１に示すようなｉｎｉファイルを起動時に読み込ませることなどで設定することが可能である。また、不図示の設定画面を介してユーザが設定するようにしてもよい。
【００６９】
設定ファイルには、[Ｇｅｎｅｒａｌ]セクションとして、所定の書式に従って設定内容な記述されており、ここに記述された内容が全体設定テーブルとして記憶される。
【００７０】
例えば、イメージファイル生成機能９０１に対応する「Ａｃｔｉｖｅ」は０の場合は、ＯＦＦで１の場合はＯＮに設定される。回線番号９０２に対応する「Ｒｅｓｏｕｒｃｅ」は、イメージファイルを生成する回線番号をカンマ区切りで記述し、ステータスに対応する「Ｓｔａｔｕｓ」は、イメージファイルを生成するそれぞれのステータスに対応付いた番号でもって記述する。
【００７１】
図１０は、本発明の実施形態におけるファクシミリシステムのイメージファイル生成にかかる条件テーブルの一例を示す図である。
【００７２】
図９の全体設定でイメージファイルの生成機能がＯＮになっているときに利用される条件テーブルである。
イメージファイル生成_条件テーブル１０００には、以下の項目が設定されている。
【００７３】
条件ＩＤ１００１は、設定された条件を一意に識別可能なＩＤである。回線番号１００２は、イメージファイルを生成する回線番号が設定されている。
【００７４】
ＦＡＸステータス１００３に設定されたステータスに一致する場合にイメージファイルを生成するようになっている。
【００７５】
ＡＮＤ／ＯＲ１００４には、「ＡＮＤ」か「ＯＲ」が設定され、条件１と条件２（設定されている場合は条件３・４）を全て満たす場合には「ＡＮＤ」でどれか１つでも満たせばよい場合には「ＯＲ」が設定されている。
【００７６】
条件１＿ＦＡＸ情報１００５には、1つ目の条件として、ＦＡＸアイテムに記憶されたＦＡＸ情報が設定され、条件１＿比較文字列１００６には、ＦＡＸ情報１００５の項目に設定された項目が、比較文字列１００６に一致する場合にイメージファイルを生成するようになっている。
【００７７】
条件を複数設定する場合には、条件２＿ＦＡＸ情報１００７、条件２＿比較文字列１００８、（条件３・・・）というように、ＦＡＸ情報と比較文字列を対応付けて設定することができる。
【００７８】
ベースフォルダ１００９には、生成したイメージファイルを保存するときにベースとなるフォルダ名が設定され、サブフォルダ１＿属性１０１０とサブフォルダ１＿データ１０１１には、イメージファイルを保存するためのフォルダを生成するための条件が設定されている。この条件は、システムの許す限り複数設定することが可能である。
【００７９】
区切り文字１０１３以降は、生成するフォルダ名に関する設定である。区切り文字１０１３には、命名するファイル名の属性を区切るときの区切り文字が設定されている。
【００８０】
ファイル１_属性１０１４は、ファイル名を生成するときの条件が設定され、ファイル１＿データ１０１５には、対応するデータが設定される。
【００８１】
属性には、「ＦＡＸ情報」「固定文字列」「日付」などが設定可能であり、省略することもできる。ＦＡＸ情報はＦＡＸアイテムテーブルに記憶された情報を利用することができ、固定文字列の場合は、任意な文字列を固定文字列として設定可能である。日付は、その時点での日付をシステム時刻から取得し、設定することが可能である。
【００８２】
条件テーブル設定ファイル１０３０には、図９に示した全体設定テーブル設定ファイル９１０と同様、設定を記述したｉｎｉファイルであり、ファクシミリシステムの起動時やイメージファイル生成機能サービス（モジュール）の起動時に読み込まれることでテーブルに記憶される。なお、図１１にて後述するデフォルトテーブル設定ファイル１１１０についても同様である。
【００８３】
図１１は、本発明の実施形態におけるファクシミリシステムのイメージファイル生成にかかるデフォルトテーブルの一例を示す図である。
【００８４】
デフォルトテーブル１１００は、図１０で設定された条件に関係なく、デフォルトのイメージファイル生成条件が設定されたテーブルである。条件が一致しなかった場合に、イメージファイルを出力しないのではなく、デフォルトの設定を利用してイメージファイルを生成する際に利用される。（図９に示すデフォルトテーブル利用９０４がＹＥＳ）
【００８５】
以下、図１２から図１９を利用してファクシミリシステムの特徴的な処理について説明する。好ましくはファクシミリシステムの処理は、送信サーバ１０３（ファクシミリサーバ）により行われる。
【００８６】
図１２は、本発明の実施形態におけるファクシミリシステムのＦＡＸ受信時処理の一例を示すフローチャートである。
【００８７】
ステップＳ１２０１で、ファクシミリシステムは、ＦＡＸの受信を行うと、ステップＳ１２０２に進み、受信したＦＡＸ情報の登録処理を行う。受信ＦＡＸ情報の登録処理は、図１３を利用して後述する。
【００８８】
ステップＳ１２０３で、全体設定テーブル９００のイメージファイル生成機能９０１の設定を確認し、生成機能がＯＮの場合はステップＳ１２０４に進みイメージファイルの生成処理を行い、ＯＦＦの場合はそのまま受信時処理を終了する。イメージファイル生成処理については、図１５を利用して後述する。なお、イメージファイル生成処理は、本フローチャートの複数のステップにて実行されるが、同じ処理が行われるものである。
【００８９】
図１３は、本発明の実施形態におけるファクシミリシステムのＦＡＸ情報の登録処理の一例を示すフローチャートである。
【００９０】
具体的には、受信したＦＡＸから得られるＦＡＸ情報を、ＦＡＸアイテムテーブル７００に登録する処理である。
【００９１】
ステップＳ１３０１で、送信元ナンバーディスプレイ情報があるかどうかの判定を行い、ナンバーディスプレイ情報がない場合は処理を終了する。一方、ナンバーディスプレイ情報があった場合には、ステップＳ１３０２に進む。
【００９２】
ステップＳ１３０３では、ＦＡＸアイテムテーブルにＦＡＸ情報が一致するレコードがあるかどうかの判定を行い、一致するレコードがない場合は処理を終了し、一致するレコード情報がある場合、ステップＳ１３０４に進み、一致したレコード情報を受信ＦＡＸ情報として格納し処理を終了する。
受信ＦＡＸ情報とは、例えば、受信完了日時７０７や、姓７０８、名７０９などの情報である。
【００９３】
図１４は、本発明の実施形態におけるファクシミリシステムのＦＡＸ送信時処理の一例を示すフローチャートである。
【００９４】
ステップＳ１４０１で、ファクシミリシステムは、ユーザより送信ＦＡＸの登録を受け付けると、ステップＳ１４０２に進む。
ステップＳ１４０２では、イメージファイル生成処理を行い、ステップＳ１４０３に進む。
【００９５】
ステップＳ１４０３では、ＦＡＸの送信を行い、ステップＳ１４０４にてイメージファイル生成処理を行う。
【００９６】
ステップＳ１４０５では、ＦＡＸの送信が完了したかどうかの判定を行い、送信が完了した場合には、ステップＳ１４０６にて当該送信ＦＡＸのファクシミリデータに対するイメージファイル生成処理を行い、処理を終了する。
【００９７】
本フローにて、イメージファイル生成処理が複数回処理されるようになっているが、このように、送信ＦＡＸの登録時、ＦＡＸの送信時、および送信完了時にイメージファイル生成処理を行うことで、柔軟なタイミングでのイメージファイルの生成を行うことができる。
【００９８】
図１５は、本発明の実施形態におけるファクシミリシステムのイメージファイル生成処理の一例を示すフローチャートである。
【００９９】
ステップＳ１５０１で、受信ＦＡＸまたは送信ＦＡＸ（受信／送信ＦＡＸ）した回線が全体設定テーブル９００２に設定されているかどうかを検索し、ステップＳ１５０２で、受信／送信ＦＡＸの回線が設定された回線と一致する場合には、ステップＳ１５０３に進み、一致しない場合には処理を終了する。回線は、ＦＡＸアイテムテーブル７００の回線７１１に記憶されているものを利用する。
【０１００】
ステップＳ１５０３ではステップＳ１５０２で一致したと判定されたレコードのステータス９０３に設定されたステータスと、当該受信／送信ＦＡＸのステータスが一致するかどうかの確認を行う。
【０１０１】
具体的には、ステータス９０３に設定されているステータスである「受信成功」「受信失敗」「送信成功」「送信中」のステータスと、受信／送信ＦＡＸのステータスが一致するかどうかの確認を行う。受信／送信ＦＡＸのステータスはＦＡＸアイテムテーブル７００のステータス７０２に記憶されているものを利用する。
【０１０２】
ステップＳ１５０３で一致すると判定された場合は、ステップＳ１５０４の条件比較処理に進み、一致しないと判定された場合には処理を終了する。
【０１０３】
図１６は、本発明の実施形態におけるファクシミリシステムの条件比較処理の一例を示すフローチャートである。
【０１０４】
条件比較処理とは、全体設定テーブルによりイメージファイルを生成することになったＦＡＸアイテムの保存場所を決定したり、命名するファイル名を決定したりする処理である。
【０１０５】
ステップＳ１６０１で、イメージファイル生成＿条件テーブル１０００（以下、条件テーブルともいう）に未検索のレコードがあるかどうかの確認を行い、存在しない（全てのレコードの検索が終了した）と判定された場合は、ステップＳ１６１１に進む。
【０１０６】
一方、存在する（全てのレコードの検索が終了していない）と判定された場合は、受信／送信ＦＡＸの回線をキーに条件テーブル１０００の回線番号１００２を検索する。
【０１０７】
ステップＳ１６０３で、回線が一致するレコードがあるかどうかを確認し、ない場合はステップＳ１６０１に戻り次のレコードの処理を行い、一方、回線が一致した場合は、ステップＳ１６０４に進む。
【０１０８】
ステップＳ１６０４では、ステータス１００３と受信／送信ＦＡＸのステータスが一致するかどうかの確認を行い、一致しない場合はステップＳ１６０１に戻り次レコードの処理を行い、ステータスが一致する場合は、ステップＳ１６０５に進み、条件文字列比較処理を行う。
【０１０９】
条件文字列比較処理は、条件テーブル１０００に設定された、１００４から１０１８の条件が一致するかどうかの判定を行うものである。詳細については、図１７を利用して後述する。
【０１１０】
ステップＳ１６０７では、ステップＳ１６０５の条件文字列比較処理の結果を受けて、一致したか一致していないかの判定を行う。一致でない場合はステップＳ１６０１に戻り次のレコードの処理を行い、一致の場合、ステップＳ１６０７に進み、フォルダ名生成処理（フォルダ名決定手段）を行う。
【０１１１】
フォルダ名生成処理は、フォルダ生成手段として機能し、図１８を利用して後述する。フォルダ名生成処理に引き続き、ステップＳ１６０８では、ファイル名生成処理（ファイル名決定手段）が行われる。詳細については、図１９を利用して後述する。
【０１１２】
ステップＳ１６０９では、ステップＳ１６０７のフォルダ名生成処理およびステップ１６０８のファイル名生成処理にて生成されたフォルダ名・ファイル名を利用してイメージファイルの出力を行う。
【０１１３】
ステップＳ１６１０では、次の条件を処理するかどうかの判定を行う。次の処理の判定を行うかどうかは、全体設定テーブル９００の９０５に設定されている内容に従って判定される。
【０１１４】
「最初に一致した条件のみ処理する」と設定されていた場合には処理を終了し、「一致する条件すべて処理をする」と設定されていた場合には、ステップＳ１６０１に戻り次のレコードの処理を行う。
【０１１５】
ステップＳ１６０１で、条件テーブルに未検索のレコードが存在しないと判定された場合、ステップＳ１６１１に進み、イメージファイルの出力が一度も行われていないかどうかの確認を行う。
【０１１６】
一度でもイメージファイルの出力が行われている場合には、処理を終了し、一度もイメージファイルの出力が行われていない場合には、ステップＳ１６１２に進み、デフォルトテーブルで出力するかどうかの判定を行う。
【０１１７】
デフォルトテーブルで出力するかどうかの判定には、全体設定テーブル９００のデフォルトテーブル利用９０４の設定を利用する。ＹＥＳの場合にはステップＳ１６１３に進み、ＮＯの場合には、処理を終了する。
【０１１８】
ステップＳ１６１３では、デフォルトテーブル１１００を利用してフォルダ名生成処理を行い、ステップＳ１６１４では、デフォルトテーブル１１００を利用してファイル名生成処理が行われる。
【０１１９】
ステップ１６１５では、ステップＳ１６１３のフォルダ名生成処理およびステップ１６１４のファイル名生成処理にて生成されたフォルダ名・ファイル名を利用してイメージファイルの出力を行い、処理を終了する。
【０１２０】
図１７は、本発明の実施形態におけるファクシミリシステムの条件文字比較処理の一例を示すフローチャートである。
【０１２１】
ステップＳ１７０１で対象レコードから条件で指定されたＦＡＸ情報を取得する。具体的には、対象レコードの条件が、条件１＿ＦＡＸ情報１００５で「ナンバーディスプレイ」となっていた場合は、条件として「ナンバーディスプレイ」を取得し、ステップＳ１７０２に進む。
【０１２２】
ステップＳ１７０２では、対応するＦＡＸ情報を、受信／送信ＦＡＸのＦＡＸアイテムテーブル７００から取得し、ステップＳ１７０３に進む。
【０１２３】
ステップＳ１７０３では、条件テーブル１０００に設定されたＦＡＸ情報とＦＡＸアイテムテーブル７００から取得したＦＡＸ情報が一致するかを比較する。ナンバーディスプレイの例では、ナンバーディスプレイ情報がＦＡＸアイテムテーブル７００に記憶されていれば一致と判定する。
【０１２４】
ステップＳ１７０４では、次の条件が存在するかどうかの判定を行う。本判定には、条件テーブル１０００のＡＮＤ／ＯＲ１００４が利用される。ＡＮＤが設定されている場合は、設定された条件の全てが一致するかどうかの判定を行い、ＯＲが設定されている場合には、設定された条件が１つでも一致すれば条件の一致と判定する。
【０１２５】
よって、ＡＮＤが設定されていて比較の済んでいない条件が残っている場合やＯＲであって条件が一致しない場合は、ＹとなりステップＳ１７０１にもどり次の条件の比較処理を行う。
【０１２６】
全ての条件の比較を行った場合はＯＲが設定されていて比較の結果一致した場合は、Ｎとなり、ステップＳ１７０５に進む。
【０１２７】
ステップＳ１７０５では、条件テーブルに設定された条件が一致したかどうかの判定を行い、一致した場合は、ステップＳ１７０６に進み、条件文字比較処理結果を「一致」とし、一致しない場合は、ステップＳ１７０７に進み、条件文字比較処理結果を「不一致」とし処理を終了する。
【０１２８】
図１８は、本発明の実施形態におけるファクシミリシステムのフォルダ名作成処理の一例を示すフローチャートである。
【０１２９】
ステップＳ１６０７のフォルダ名生成処理では、条件テーブル１０００が利用され、ステップＳ１６１３のフォルダ名生成処理（デフォルトテーブル）では、デフォルトテーブル１１００が利用される。
【０１３０】
ステップＳ１８０１では、対象レコードの出力先であるベースフォルダ（１００９、１１０２）を取得する。
【０１３１】
ステップＳ１８０２では、対象レコードのサブフォルダ属性を取得する。ステップＳ１８０３では、サブフォルダ属性が「固定値」であるかどうかの判定を行い、「固定値」であった場合、ステップＳ１８０４に進み、「固定値」でなかった場合は、ステップＳ１８０５に進む。
【０１３２】
ステップＳ１８０４では、条件テーブルまたはデフォルトテーブルのサブフォルダデータに設定された固定値を例えばサブフォルダ１＿データ１０１１から取得し、出力フォルダ名に追加し、ステップＳ１８０９に進む。
【０１３３】
ステップＳ１８０５では、サブフォルダ属性が「ＦＡＸ情報」であるかどうかの判定を行い、「ＦＡＸ情報」であった場合は、ステップＳ１８０６に進み、「ＦＡＸ情報」でなかった場合は、ステップＳ１８０７に進む。
【０１３４】
ステップＳ１８０６では、条件テーブルまたはデフォルトテーブルのサブフォルダデータに設定されたＦＡＸ情報に対応する情報をＦＡＸアイテムテーブルから取得し、出力フォルダ名に追加し、ステップＳ１８０９に進む。
【０１３５】
ステップＳ１８０７では、サブフォルダ属性が「日付」かどうかの判定を行い、「日付」であった場合には、ステップＳ１８０８に進み、「日付」でなかった場合には、ステップＳ１８０９に進む。
ステップＳ１８０８では、出力フォルダに現在時刻を追加してステップＳ１８０９に進む。
【０１３６】
ステップＳ１８０９では、作成すべきサブフォルダがあるかどうかの判定を行う。例えば、サブフォルダ属性として設定されている分が全て終わったかどうかにより判定を行う。
【０１３７】
作成すべきサブフォルダがまだあると判定された場合にはステップＳ１８０２に戻り次のサブフォルダのレコードに対して処理を行う。
【０１３８】
一方、全てのサブフォルダに対する処理が終了した場合には、ステップＳ１８１０に進み出力フォルダ名を返し処理を終了する。出力フォルダ名は、ファクシミリシステムによって当該フォルダ名をフォルダが生成され、イメージファイルが保存される。
【０１３９】
図１９は、本発明の実施形態におけるファクシミリシステムのファイル名作成処理の一例を示すフローチャートである。
【０１４０】
ステップＳ１６０８のファイル名生成処理では、条件テーブル１０００が利用され、ステップＳ１６１４のフォルダ名生成処理（デフォルトテーブル）では、デフォルトテーブル１１００が利用される。
ステップＳ１９０１では、出力ファイル名を空で作成し、ステップＳ１９０２に進む。
【０１４１】
ステップＳ１９０２では、対応するレコードの区切り文字（１０１３、１１０４）を取得するとともに対象レコードのファイル属性を取得する（属性の取得に関しては図１８のＳ１８０２のフォルダ属性の取得に対応）。
【０１４２】
ステップＳ１９０３では、ファイル属性が「固定値」であるかどうかの判定を行い、「固定値」であった場合、ステップＳ１９０４に進み、「固定値」でなかった場合は、ステップＳ１９０５に進む。
【０１４３】
ステップＳ１９０４では、条件テーブルまたはデフォルトテーブルのファイルデータに設定された固定値を例えばファイル１＿データ１０１５から取得し、出力ファイル名に追加し、ステップＳ１９０９に進む。このとき、出力ファイル名に追加するときの区切り文字として、ステップＳ１９０２で取得した区切り文字を設定する。
【０１４４】
ステップＳ１９０５では、サブフォルダ属性が「ＦＡＸ情報」であるかどうかの判定を行い、「ＦＡＸ情報」であった場合は、ステップＳ１９０６に進み、「ＦＡＸ情報」でなかった場合は、ステップＳ１９０７に進む。
【０１４５】
ステップＳ１９０６では、条件テーブルまたはデフォルトテーブルのファイルデータに設定されたＦＡＸ情報に対応する情報をＦＡＸアイテムテーブルから取得し、出力ファイル名に追加し、ステップＳ１９０９に進む。
【０１４６】
ステップＳ１９０７では、ファイル属性が「日付」かどうかの判定を行い、「日付」であった場合には、ステップＳ１９０８に進み、「日付」でなかった場合には、ステップＳ１９０９に進む。
ステップＳ１９０８では、出力ファイル名に現在時刻を追加してステップＳ１９０９に進む。
【０１４７】
ステップＳ１９０９では、作成すべきファイル名属性があるかどうかの判定を行う。例えば、ファイル名属性として設定されている分が全て終わったかどうかにより判定を行う。
【０１４８】
作成すべきファイル名属性がまだあると判定された場合にはステップＳ１９０２に戻り次のファイル名のレコードに対して処理を行う。
【０１４９】
一方、全てのファイル名属性に対する処理が終了した場合には、ステップＳ１９１０に進み出力ファイル名を返し処理を終了する。出力されたファイル名は、ファクシミリシステムによって生成されたイメージファイルに付与される。
【０１５０】
以上、実施形態について説明したが、上述した各種データの構成及びその内容はこれに限定されるものではなく、用途や目的に応じて、様々な構成や内容で構成されることは言うまでもない。
【０１５１】
また、本発明におけるプログラムは、実施例に示すフローチャートの処理方法をコンピュータが実行可能なプログラムであり、本発明の記憶媒体はフローチャートの処理方法をコンピュータが実行可能なプログラムが記憶されている。なお、本発明におけるプログラムは各装置の処理方法ごとのプログラムであってもよい。
【０１５２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１５３】
この場合、記録媒体から読み出されたプログラム自体が本発明の新規な機能を実現することになり、そのプログラムを記憶した記録媒体は本発明を構成することになる。
【０１５４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１５５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５７】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１５８】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１５９】
１０１  クライアント端末
１０２  クライアント端末
１０３  送信サーバ
１０４  ＦＡＸ通信カード
１０５  ＬＡＮ
１０６  公衆回線
【図１】
2018006925.tif 000003
【図２】
2018006925.tif 000004
【図３】
2018006925.tif 000005
【図４】
2018006925.tif 000006
【図５】
2018006925.tif 000007
【図６】
2018006925.tif 000008
【図７】
2018006925.tif 000009
【図８】
2018006925.tif 000010
【図９】
2018006925.tif 000011
【図１０】
2018006925.tif 000012
【図１１】
2018006925.tif 000013
【図１２】
2018006925.tif 000014
【図１３】
2018006925.tif 000015
【図１４】
2018006925.tif 000016
【図１５】
2018006925.tif 000017
【図１６】
2018006925.tif 000018
【図１７】
2018006925.tif 000019
【図１８】
2018006925.tif 000020
【図１９】
2018006925.tif 000021